(57)【要約】【課題】  運搬のための手挿入口が形成される包装箱であって、運搬時などにおいて手挿入口に手が挿入される際に、包装箱内部の物品が爪などにより傷つけられることを防止することができる包装箱、又は、被梱包物品が爪などにより傷つけられることを防止した梱包体を低コストにて提供すること。【解決手段】  舌片部１１を形成するための切込み１１ａを形成し、舌片部１１の根元部分（折曲部１１ｂ）で、包装箱１０の内部側に折り曲げると共に、中間部分（折曲部１１ｃ）で折曲部１１ｂの折り曲げ方向とは逆方向に折り返すことで、手挿入口１２及び手挿入突き当たり部１１ｙを形成することにより、手挿入口１２から挿入される手が、被梱包物に直接接触することを防止する。【選択図】      図１
2005271926.tif 000002
【特許請求の範囲】
【請求項１】
ダンボール等の折曲げ可能な包装素材により形成される包装箱であって、該包装箱の側面又は上面に、舌片部を形成するための切込み若しくは断続する切込みを形成し、前記舌片部を根元付近から当該包装箱の内部方向へ折り返すことにより手挿入口を形成し、且つ、前記舌片部を該舌片部の中間部において、前記折返し方向と逆方向に折り返すことで手挿入突き当たり部を形成したことを特徴とする包装箱。
【請求項２】
前記舌片部を、該舌片部の中間部における折り返し部より先の横幅を広く形成し、該広く形成された部分を手が挿入される側に折り返すことにより、又は、前記舌片部の両脇部の壁面に略コ字形の切込みを形成し、これによって形成される折曲片を前記包装箱の内部方向へ折り返すことにより、手挿入側面部を形成したことを特徴とする請求項１記載の包装箱。
【請求項３】
前記手挿入突き当たり部と当該手挿入突き当たり部が形成される前記舌片部が設けられた壁面とを接続するための接続部を形成するために、前記舌片部を形成するための切込みの一部を不連続とし、当該不連続部と接するようにカギ状の切込みを形成したことを特徴とする請求項１または請求項２に記載の包装箱。
【請求項４】
ダンボール等の折曲げ可能な包装素材により形成される包装箱により物品を梱包した梱包体であって、該包装箱の側面又は上面に、舌片部を形成するための切込み若しくは断続する切込みを形成し、前記舌片部を根元付近から当該包装箱の内部方向へ折り返すことにより手挿入口を形成し、さらに前記舌片部は該手挿入口から当該包装箱の内部に位置した被梱包物品の外面まで伸ばして前記包装箱の壁面と略並行する手挿入突き当たり部を設けたことを特徴とする梱包体。
【請求項５】
被梱包物品が電気機器、家具、若しくは野菜又は果物等の食品の内の一つであることを特徴とする請求項４に記載の梱包体。
【発明の詳細な説明】
【技術分野】
【０００１】
本発明は、ダンボール等の折曲げ可能な素材により形成される包装箱に関するものであり、特に、爪などが当たる事によって傷がつき易い製品等を梱包する包装箱又は、このような物品が包装された梱包体に関するものである。
【背景技術】
【０００２】
従来、物品を損傷させること無く運搬するために、ダンボール箱などの包装箱が広く利用されており、電気機器等の衝撃等に弱いものを梱包する場合には、箱内部に発泡スチロールなどの緩衝材を内装させること等が行われている。このような包装箱には、手で抱えて持ち運べるように手挿入口（持ち手部分）が形成されているものが多数ある。
【０００３】
このような包装箱の持ち運びの便のために、包装箱に設けられる持ち手部分に関する従来技術が、特許文献１〜特許文献２０などによって開示されている。
【０００４】
【特許文献１】実開昭５０−１４６９３７号公報
【特許文献２】実開昭５０−５９１３３号公報
【特許文献３】実開昭５１−１１１４６５号公報
【特許文献４】実開昭５２−９８６６８号公報
【特許文献５】実開昭５２−１６８７６７号公報
【特許文献６】実開昭５３−１４６６３４号公報
【特許文献７】実開昭５４−８１８６６号公報
【特許文献８】実開昭５５−３３２３７号公報
【特許文献９】実開昭５６−５３０６１号公報
【特許文献１０】実開昭５８−１４９３６４号公報
【特許文献１１】実開昭５８−１７１８６８号公報
【特許文献１２】実開昭５９−７１７６号公報
【特許文献１３】実開昭６３−５７２１６号公報
【特許文献１４】実開平１−１０３５６９号公報
【特許文献１５】実開平２−２５４８０号公報
【特許文献１６】実開平４−３９７２号公報
【特許文献１７】実開平４−６８８６５号公報
【特許文献１８】特開平１１−１０５９３６号公報
【特許文献１９】特開２０００−２８９７７７号公報
【特許文献２０】特開２００１−１２２２４８号公報
【発明の開示】
【発明が解決しようとする課題】
【０００５】
ダンボール箱などの包装箱に設けられる手挿入口（持ち手部分）は、コスト及び製造の容易さ等の観点から、ダンボール箱の側面に略Ｃ形の切り込み等を入れ、この部分を箱の内部側に折り返すことにより形成されるのが一般的である。従って、手挿入口は箱の側面を貫通して形成されており、例えば野菜や果物のように物品がダンボール箱に直接梱包されるような場合には、運搬時に手挿入口に手を挿入した際に、手が物品に触れてしまい、爪などにより物品が傷つけられてしまうことがあった。
【０００６】
又、電気機器等の衝撃等に弱いものを梱包する場合には、箱内部に発泡スチロールなどの緩衝材を内装させることが行われており、この場合、箱の側面と、箱内部に梱包されている物品との間には一定の距離が形成されることとなるが、近年、省スペース化及び省資源化等の理由により、緩衝材の薄型化や簡略化が進み、箱の側面と箱内部に梱包されている物品との間隔が狭くなる傾向にある。従って、上述したような、物品がダンボール箱に直接梱包される場合と同様に、梱包された物品が、爪などにより傷つけられてしまう問題があった。
【０００７】
本発明は、上記した問題に鑑み、運搬のための手挿入口（持ち手部分）が形成される包装箱であって、運搬時などにおいて手挿入口に手が挿入される際に、包装箱内部の物品が爪などにより傷つけられることを防止することができる包装箱、又は、被梱包物品が爪などにより傷つけられることを防止した梱包体を低コストにて提供することを目的とする。
【課題を解決するための手段】
【０００８】
請求項１の包装箱は、ダンボール等の折曲げ可能な包装素材により形成される包装箱であって、該包装箱の側面又は上面に、舌片部を形成するための切込み若しくは断続する切込みを形成し、前記舌片部を根元付近から当該包装箱の内部方向へ折り返すことにより手挿入口を形成し、且つ、前記舌片部を該舌片部の中間部において、前記折返し方向と逆方向に折り返すことで手挿入突き当たり部を形成したことを特徴とする。
【０００９】
上記構成によれば、手挿入口と包装箱内部の物品との間に、手挿入突き当たり部が形成され、手挿入口から挿入された手が包装箱内部の物品に直接接触するということが抑止される。また、当該手挿入突き当たり部を備える包装箱を、一枚の板状の折曲げ可能な包装素材（ダンボール等）を折り曲げることによって形成することができる。
【００１０】
請求項２の包装箱は、請求項１記載の包装箱であって、前記舌片部を、当該舌片部の中間部における折り返し部より先の横幅を広く形成し、当該広く形成された部分を手が挿入される側に折り返すことにより、又は、前記舌片部の両脇部の壁面に略コ字形の切込みを形成し、これによって形成される折曲片を前記包装箱の内部方向へ折り返すことにより、手挿入側面部を形成したことを特徴とする。
【００１１】
上記構成によれば、手挿入口と手挿入突き当たり部との間の両側面に、手挿入側面部が形成される。
【００１２】
請求項３の包装箱は、請求項１または請求項２に記載の包装箱であって、前記手挿入突き当たり部と当該手挿入突き当たり部が形成される前記舌片部が設けられた壁面とを接続するための接続部を形成するために、前記舌片部を形成するための切込みの一部を不連続とし、当該不連続部と接するようにカギ状の切込みを形成したことを特徴とする。
【００１３】
上記構成によれば、包装箱の手挿入突き当たり部が形成される壁面と当該手挿入突き当たり部とが、接続部によって接続されるため、手挿入突き当たり部が接続部によって係止され、接続部の長さ以上に包装箱の内部に入り込むことが抑止される。
【００１４】
請求項４の梱包体は、ダンボール等の折曲げ可能な包装素材により形成される包装箱により物品を梱包した梱包体であって、該包装箱の側面又は上面に、舌片部を形成するための切込み若しくは断続する切込みを形成し、前記舌片部を根元付近から当該包装箱の内部方向へ折り返すことにより手挿入口を形成し、さらに前記舌片部は該手挿入口から当該包装箱の内部に位置した被梱包物品の外面まで伸ばして前記包装箱の壁面と略並行する手挿入突き当たり部を設けたことを特徴とする。
【００１５】
請求項５の梱包体は、請求項４に記載の梱包体であって、被梱包物品が電気機器、家具、若しくは野菜又は果物等の食品の内の一つであることを特徴とする。
【００１６】
上記構成の梱包体によれば、爪などが触れることにより傷がつきやすい物品である電気機器、家具、若しくは野菜又は果物等の食品に対して、運搬時などに、爪などが接触することが抑止される。
【発明の効果】
【００１７】
本発明の請求項１の、ダンボール等の折曲げ可能な包装素材により形成される包装箱であって、当該包装箱の側面又は上面に、舌片部を形成するための切込み若しくは断続する切込みを形成し、前記舌片部を根元付近から当該包装箱の内部方向へ折り返すことにより手挿入口を形成し、且つ、前記舌片部を当該舌片部の中間部において、前記折返し方向と逆方向に折り返すことで手挿入突き当たり部を形成したことを特徴とする包装箱によれば、手挿入突き当たり部により、手挿入口から挿入された手などが包装箱内部の物品に直接接触することが抑止されるため、運搬時に爪などによって包装箱内部の物品が傷つけられることが防止される。また、包装箱内部の物品によっては、手挿入口から挿入した手が傷つけられることが防止される。また、手挿入突き当たり部と包装箱とを、一枚の板状の包装素材（ダンボール等）を折り曲げることによって形成することができるため、容易且つ低コストで本発明に係る包装箱を製造することができる。
【００１８】
本発明の請求項２の、前記舌片部を、当該舌片部の中間部における折り返し部より先の横幅を広く形成し、当該広く形成された部分を手が挿入される側に折り返すことにより、又は、前記舌片部の両脇部の壁面に略コ字形の切込みを形成し、これによって形成される折曲片を前記包装箱の内部方向へ折り返すことにより、手挿入側面部を形成したことを特徴とする請求項１記載の包装箱によれば、手挿入口と手挿入突き当たり部との間の両側面に、手挿入側面部が形成されるため、手挿入口から挿入された手などが包装箱内部の物品に直接接触してしまうことをより効果的に抑止することができる。
【００１９】
本発明の請求項３の、前記手挿入突き当たり部と当該手挿入突き当たり部が形成される前記舌片部が設けられた壁面とを接続するための接続部を形成するために、前記舌片部を形成するための切込みの一部を不連続とし、当該不連続部と接するようにカギ状の切込みを形成したことを特徴とする請求項１または請求項２に記載の包装箱によれば、手挿入突き当たり部が接続部によって係止され、接続部の長さ以上に包装箱の内部に入り込むことが抑止される。包装箱がダンボール等によって形成される場合、手挿入口を形成するために舌片部を包装箱の内部方向に押し込む作業時に、舌片部の一部である手挿入突き当たり部が、包装箱の内部に入り込んでしまい、手挿入突き当たり部を形成する（舌片部の根元付近の折返し方向と逆方向に舌片部の中間において折り返す）作業が煩雑な作業となってしまう場合があるが、本請求項に係る包装箱によれば、手挿入突き当たり部が接続部によって係止され、包装箱の内部に入り込むことが抑止されるので、手挿入突き当たり部を形成する作業が容易なものとなる。
【００２０】
本発明の請求項５の、被梱包物品が電気機器、家具、若しくは野菜又は果物等の食品の内の一つであることを特徴とする請求項４に記載の梱包体によれば、当該梱包体の運搬作業中などに、手挿入口から挿入された手の爪などにより電気機器、家具、若しくは野菜又は果物等の食品が傷つけられる蓋然性が低減される。
【発明を実施するための最良の形態】
【００２１】
以下、本発明の具体的実施例について、図面を参照しながら説明する。なお、以下の実施態様は、本発明を具体化する際の一形態であって、本発明をその範囲内に限定するためのものではない。
【実施例１】
【００２２】
図１は本実施例の包装箱の手挿入口部分を説明するための概略図であり、ａは舌片部の外形を示す図、ｂは包装箱に舌片部が形成された部分を拡大した斜視図、ｃは舌片部を折り曲げることにより、手挿入口及び手挿入突き当たり部が形成された状態を示す拡大斜視図である。図３は本実施例の包装箱及び梱包物であるテレビの展開状態を示す斜視図である。
【００２３】
本実施例の包装箱１０は、展開図（図示省略）に従って裁断された１枚のダンボールを折り曲げることにより形成される。包装箱１０の側面部１０ａとなる部分には、舌片部１１を形成するための切込み１１ａ（図１ａにおける実線部分）が設けられる。手挿入口１２は、舌片部１１の根元部分（折曲部１１ｂ）で当該舌片部１１が、包装箱１０の内部側に折り曲げられることにより形成され、さらに、舌片部１１の中間部分（折曲部１１ｃ）で折曲部１１ｂの折り曲げ方向とは逆方向に折り返されることで、手挿入突き当たり部１１ｙが形成される。なお、本実施例における折曲部（図１中の一点鎖線部分）には、破線状のスリットが設けられ、当該部分での折り曲げを容易としている。
【００２４】
図１２は従来の包装箱の一例を示す包装箱１２０の手挿入口１２２に手を入れた状態の概略を示す断面図であり、図２は、本実施例の包装箱１０の手挿入口１２に手を入れた状態の概略を示す断面図である。図１２に示されるように、従来の包装箱１２０によれば、手挿入口１２２に手を入れた際に、電気機器等の梱包物１２３の側面に爪などが接触してしまい、梱包物１２３を傷つけるおそれがあったが、本実施例の包装箱１０によれば、図２に示されるように、緩衝材１５が薄型化され、包装箱１０の側面部１０ａと梱包物であるテレビ２３との間隔ｌが小さい場合であっても、手挿入突き当たり部１１ｙがあることによって、テレビ２３の側面に爪などが直接接触し、テレビ２３を傷つけるといった問題を低減させることができる。又、本実施例の包装箱１０は、１枚のダンボールを折り曲げることにより形成することができ、且つ、テレビ２３や、緩衝材１５などの改変を必要としないため、低コストであると共に汎用性が高い。
【００２５】
なお、図４に示すように、舌片部１１の中間部分での折返し（折曲部１１ｄ）を増やすことによって、底面部１１ｚを構成するようにしてもよい（図４ｃ）。また、このような構成とすることで、包装箱１０内部に緩衝材１５が無いことにより、若しくは、手挿入口１２と緩衝材１５の一面が連続してないことにより、舌片中間部１１ｘが略水平に係止されず（図５ａに、手挿入口１２と緩衝材１５の底面が連続している状態、すなわち舌片中間部１１ｘが緩衝材１５によって略水平に係止されている状態を示す）、図５ｂに示されるように、側面部１０ａと舌片中間部１１ｘが接してしまうようなものであっても、底面部１１ｚが手挿入突き当たり部となり、有効に梱包物（テレビ２３）の傷つき防止をすることができる。
【００２６】
また、本実施例においては、舌片部１１を中間部分で折り返すことにより、手挿入突き当たり部１１ｙを形成するものとし、手挿入突き当たり部１１ｙが包装箱１０本体と一体（１枚のダンボール）で形成されるものとしたが、本発明をこれに限るものではなく、手挿入突き当たり部を別体で形成した後に、包装箱１０に接合させるものであってもよい。
【実施例２】
【００２７】
図６は本実施例の梱包体の手挿入口部分を説明するための概略図であり、ａは舌片部の外形を示す図、ｂは梱包体に舌片部が形成された部分を示した拡大斜視図、ｃは舌片部を折り曲げることにより、手挿入口及び手挿入突き当たり部が形成された状態を示す拡大斜視図である。図８は本実施例の梱包体の展開状態を示す斜視図である。
【００２８】
本実施例の梱包体６０は、展開図（図示省略）に従って裁断された１枚のダンボールを折り曲げることにより形成された包装箱６１に緩衝材８５が内装され、家具８０が梱包されることによりなる。包装箱６１の側面部６１ａとなる部分には、舌片部６５を形成するための切込み６５ａ（図６ａにおける実線部分）が設けられる。舌片部６５は、中間部における折り返し部（折曲部６５ｃ）を境として一方の側（手挿入突き当たり部６５ｙ）の幅を広げて形成される。図６ｂに示されるように、舌片部６５の両脇部の壁面（側面部６１ａ）には、略コ字形の切込み６５ｄ（図６ｂにおける太線部分であり、２辺を切込み６５ａと共有する）が形成され、これにより形成される折曲片を折曲部６５ｅで包装箱６１の内部側に折曲げることにより、手挿入側面部６７が形成される。手挿入口６２が、舌片部６５の根元部分（折曲部６５ｂ）で折り曲げられることにより形成され、さらに、折曲部６５ｃで折り返されることで、手挿入突き当たり部６５ｙが形成されるのは、実施例１と同様の概念である。
【００２９】
上記構成の梱包体６０によれば、手挿入突き当たり部６５ｙによる、手挿入口６２へ手を入れたときの突き当たり方向の壁面のみならず、手挿入側面部６７によって、手を挿入する部分の両脇にも壁面が形成されるため、梱包物である家具８０に、爪などによって傷が付けられるおそれがさらに低減される。
【００３０】
なお、本実施例においては、手挿入側面部６７を、側面部６１ａに略コ字形の切込み６５ｄを設けることにより形成したが、図７に示されるように、手挿入突き当たり部６５ｙの両側部分を折曲部６５ｆで折り返すことによって、手挿入側面部６７ｂを形成するようにしてもよい。
【実施例３】
【００３１】
図９は本実施例の梱包体の手挿入口部分を説明するための概略図であり、ａは舌片部の外形を示す図、ｂは梱包体に舌片部が形成された部分を示した拡大斜視図、ｃは舌片部を折り曲げることにより、手挿入口及び手挿入突き当たり部が形成された状態を示す拡大斜視図である。図１１は本実施例の梱包体の展開状態を示す斜視図である。
【００３２】
本実施例の梱包体９０は、展開図（図示省略）に従って裁断された１枚のダンボールを折り曲げることにより形成された包装箱９１に果物１１０が詰められることによりなる。包装箱９１の側面部９１ａとなる部分には、舌片部９５を形成するための切込み９５ａ（図９ａにおける実線部分）が設けられる。切込み９５ａの一部は不連続となっており（不連続部９５ｄ）、図９ｂ及び図９ｃに示されるように、不連続部９５ｄと接するようにカギ状の切込み９５ｅが形成される（切込み９５ａとカギ状の切込み９５ｅは連続している）ことにより接続部９７が形成される。手挿入口９２が、舌片部９５の根元部分（折曲部９５ｂ）で折り曲げられることにより形成され、さらに、折曲部９５ｃで折り返されることで、手挿入突き当たり部９５ｙが形成されるのは、実施例１と同様の概念である。
【００３３】
図１０のａは、図９ｃのＡ−Ａ線に沿った断面図であり、図１０のｂは、同Ｂ−Ｂ線に沿った断面図である。本実施例の梱包体９０によれば、前述した手挿入口９２及び手挿入突き当たり部９５ｙを形成するために、舌片部９５を包装箱９１の内部方向に押し込む作業時に、図１０のａ及びｂに示されるように、接続部９７が、手挿入突き当たり部９５ｙと側面部９１ａとを接続しており、手挿入突き当たり部９５ｙが係止されるため、図１０のｃに示されるように、手挿入突き当たり部９５ｙが包装箱９１の内部に入り込んでしまうことが無く、手挿入口９２及び手挿入突き当たり部９５ｙを形成する作業が容易であり、当該作業時に勢いあまって梱包物（果実１１０）を爪などによって傷つけてしまうことが防止される。
【図面の簡単な説明】
【００３４】
【図１】実施例１の包装箱の手挿入口部分の概略図、ａ：舌片部の外形を示す図、ｂ：包装箱の手挿入口部分が形成されていない状態の拡大斜視図、ｃ：手挿入口部分が形成された状態の拡大斜視図
【図２】実施例１の包装箱の手挿入口に手を入れた状態の概略を示す断面図
【図３】実施例１の包装箱及び梱包物であるテレビの展開状態を示す斜視図
【図４】実施例１の包装箱の別の手挿入口部分の概略図、ａ：舌片部の外形を示す図、ｂ：包装箱の手挿入口部分が形成されていない状態の拡大斜視図、ｃ：手挿入口部分が形成された状態の拡大斜視図
【図５】ａ：図４のＣ−Ｃ線に沿った断面図、ｂ：図４のＣ−Ｃ線に沿った別の断面図、ｃ：図５ｂの包装箱の斜視図
【図６】実施例２の梱包体の手挿入口部分の概略図、ａ：舌片部の外形を示す図、ｂ：包装箱の手挿入口部分が形成されていない状態の拡大斜視図、ｃ：手挿入口部分が形成された状態の拡大斜視図
【図７】実施例２の梱包体の別の手挿入口部分の概略図、ａ：舌片部の外形を示す図、ｂ：包装箱の手挿入口部分が形成されていない状態の拡大斜視図、ｃ：手挿入口部分が形成された状態の拡大斜視図
【図８】実施例２の梱包体の展開状態を示す斜視図
【図９】実施例３の梱包体の手挿入口部分の概略図、ａ：舌片部の外形を示す図、ｂ：包装箱の手挿入口部分が形成されていない状態の拡大斜視図、ｃ：手挿入口部分が形成された状態の拡大斜視図
【図１０】ａ：図９ｃのＡ−Ａ線に沿った断面図、ｂ：図９ｃのＢ−Ｂ線に沿った断面図、ｃ：別の包装箱の断面図
【図１１】実施例３の梱包体の展開状態を示す斜視図
【図１２】従来例の包装箱の手挿入口に手を入れた状態の概略を示す断面図
【符号の説明】
【００３５】
１０、６１、９１  包装箱
１０ａ、６１ａ、９１ａ  側面部
１１、６５、９５  舌片部
１１ａ、６５ａ、９５ａ  切込み
１１ｙ、６５ｙ、９５ｙ  手挿入突き当たり部
１２、６２、９２  手挿入口
１５、８５  緩衝材
６５ｅ  略コ字形の切込み
６７、６７ｂ  手挿入側面部
９５ｅ  カギ状の切込み
９７  接続部
【図１】
2005271926.tif 000003
【図２】
2005271926.tif 000004
【図３】
2005271926.tif 000005
【図４】
2005271926.tif 000006
【図５】
2005271926.tif 000007
【図６】
2005271926.tif 000008
【図７】
2005271926.tif 000009
【図８】
2005271926.tif 000010
【図９】
2005271926.tif 000011
【図１０】
2005271926.tif 000012
【図１１】
2005271926.tif 000013
【図１２】
2005271926.tif 000014